(57)【特許請求の範囲】
【請求項１】
ネットワークを介して接続されているファクシミリ装置と通信が可能であり、当該ファクシミリ装置からの遠隔操作に応じて動画像の編集を行う動画像編集システムにおいて、
前記ファクシミリ装置の利用者、又は、動画像の編集におけるセッションのうち、少なくともいずれか１つを特定する識別情報を有する紙媒体による動画像の編集指示を、前記ファクシミリ装置から受信する指示受信手段と、
前記編集の対象となる動画像を取得し、格納しておく動画像格納手段と、
前記指示受信手段によって受信された編集指示に基づいて、前記動画像格納手段に格納されている動画像に編集を施す編集手段と、
前記編集手段によって編集が施された動画像を前記ファクシミリ装置に送信する送信手段と、
を備え、
前記紙媒体は、
編集対象となる動画像の一定時間ごとの静止画と、
前記一定時間ごとの静止画各々に対応し、前記動画像の編集における使用開始を特定するための第１チェック欄と、
前記一定時間ごとの静止画各々に対応し、前記動画像の編集における使用終了を特定するための第２チェック欄と、
前記一定時間ごとの静止画に対応する音であるトラックの音量をグラフ化した音量情報と、
前記一定時間ごとの静止画または前記音のうち少なくともいずれか１方の各々に対応し、前記動画像の編集において所定の１又は複数のフィルタを適用する前記静止画または前記音を特定するための第３チェック欄と、
を有し、
前記編集手段は、前記識別情報、前記第１チェック欄、前記第２チェック欄、および前記第３チェック欄に基づいて、前記動画像格納手段に格納されている動画像に編集を施すことを特徴とする動画像編集システム。
【請求項２】
前記紙媒体はファクシミリ用紙であることを特徴とする請求項１に記載の動画像編集システム。
【請求項３】
前記指示受信手段によって動画像の編集指示を受信した際、前記ファクシミリ装置が接続されているネットワークの帯域幅および安定性を判定する判定手段と、
前記判定手段による判定結果に基づいて、前記編集手段によって編集された動画像の映像品質とバッファ量を変更する変更手段と、
をさらに備え、
前記送信手段は、前記変更手段によって変更された動画像を前記ファクシミリ装置に送信することを特徴とする請求項１又は請求項２に記載の動画像編集システム。
【請求項４】
所定時間を計測する計測手段と、
前記計測手段が所定時間を計測した際、前記ファクシミリ装置との通信が行われているか否かを確認する確認手段と、
をさらに備え、
前記確認手段によって通信が行われていないと確認された場合、前記動画像格納手段は、前記計測時間経過時点での編集途中の動画像を一旦格納し、前記指示受信手段によって再度指示が受信されたとき、前記編集手段は、前記動画像格納手段に一旦格納されている前記編集途中の動画像を取得し、当該動画像の編集を再開することを特徴とする請求項１又は請求項２に記載の動画像編集システム。
【発明の詳細な説明】
【０００１】
【発明の属する技術分野】
本発明は、サーバに記録された動画像の遠隔操作による編集、編集の記録、この編集結果の通信回線による配信、配信記録および動画像の再生などの各処理を行うことができる動画像編集システムに関する。
【０００２】
【従来の技術】
近年、家庭用ビデオが非常に普及してきている。この家庭用ビデオの編集装置としては、テープ・トゥ・テープのリニア（ｌｉｎｅａｒ  ｅｄｉｔｉｎｇ）編集装置が従来から使われてきていたが、デジタル方式によるビデオの登場（ＤＶ（Ｄｉｇｉｔａｌ  Ｖｉｄｅｏ）方式など）により、コンピュータにビデオ画像（動画像）を取込み、編集を行うノンリニア編集（ｎｏｎ−ｌｉｎｅａｒ  ｅｄｉｔｉｎｇ）システムが登場してきている。ノンリニア編集システムは、カット映像を自分の思うままに並べたり、順番を変えたりというように、テープの物理的位置に縛られることなく自由に編集が可能であり、リニア編集では難しい複雑な合成や特殊効果ができるなどの利点がある。
最近では、家庭用のパーソナルコンピュータ（以下、ＰＣという）の高性能化、ハードディスクの容量増加、ＰＣ価格の低下などにより、動画編集を専門とする人だけではなく、一般の人々もノンリニア編集を行うことができるようになってきている。
【０００３】
このような画像の編集に関して、特開２０００−２６１７４７号公報には、編集装置から静止画像を取り出し、電話回線で伝送する映像処理装置および映像伝達方法が、特開２０００−２６８５４０号公報には、クライアント側に映像素材と装置があり、オペレーションセンター側で遠隔操作するモデルである映像編集システムが記載されている。
また、特開平９−７０００９号公報には、ネットワークによる動画番組の配信と、記録された動画像を編集方法を指定する記憶装置によって同一の動画像から編集の異なる番組を配信する方法を提供する動画番組編集方法が、特開平９−１５４０９７号公報には、ネットワークを介して映像の検索および閲覧手段を提供する映像処理装置が記載されている。また、特開平６−２９５５６６号公報には、オフライン編集方法として、カードに静止画と機械読み取り可能なコードを記したカードを出力することにより、どこでも編集構想を練ることができる動画編集装置が記載されている。
【０００４】
【発明が解決しようとする課題】
ところで、一般的に動画像の編集は、リニア編集またはノンリニア編集に拘らず非常に時間がかかる。リニア編集では特定のシーンの長さを調節するのにその後に続くすべてのシーンを記録し直す必要がある。また、ノンリニア編集では、前述のような問題はないが、リニア編集に比べると画像品質の劣化を気にする必要がなく、やり直しが何度でも可能なために編集に納得のいくまで時間をかけてしまう。
さらに、ノンリニア編集では、複雑な合成や特殊効果などの編集を行うことができるが、画像処理工程の最終段階として画像生成するレンダリング処理に時間がかかってしまう。例えば、指定した合成や特殊効果の最終出力が想定と異なるような場合、合成や特殊効果のパラメータを変更して繰り返し行うことになるとさらに時間がかかってしまう。このように動画像編集の一般化により、編集したい素材はあるが編集する時間がないというような問題が顕著になってきている。また、現在提供されているＰＣ上の代表的なノンリニア編集ソフトウエアは、そのソフトウエアがインストールされたＰＣ上で操作されることを想定しており、遠隔操作をすることはできないものとなっている。
【０００５】
一方、上述のような利用上の様々な点を鑑みて考慮された従来技術においても、特開２０００−２６１７４７号公報および特開平９−１５４０９７号公報には編集方法に関しての記載がされておらず、特開平９−７０００９号公報には、ネットワークによる動画番組編集方法が記載されているが、利用者側からのインタラクティブな編集方法に関しては記載されていない。
また、特開平６−２９５５６６号公報記載の発明では、オフライン編集のことが記載されているが、オンラインでの編集に関しては記載されておらず、特開２０００−２６８５４０号公報記載の発明では、ネットワーク伝送に対して伝送帯域幅に応じて適切な映像品質に変換する機能がなく、伝送帯域幅や機能が異なる端末による編集、通信の途絶による操作状況の保存と復活などの機能に関して考慮されていなかった。
【０００６】
そこで、本発明の第１の目的は、サーバに個別ユーザの記憶領域を用意し、公衆回線やネットワークを使用してサーバにアクセス可能であり、サーバへの動画像記録、記録された動画像を遠隔操作によって編集し、蓄積された動画像および編集された動画像の配信などを行うことができる動画像編集システムを提供することである。
本発明の第２の目的は、編集に必要なインタラクティビィティを提供することができ、ユーザが編集装置の前に拘束されることなく、ファクシミリ装置のある好きな場所から紙媒体を用いて編集作業を行うことができる動画像編集システムを提供することである。
本発明の第３の目的は、使用するファクシミリ装置に応じた適切な品質のサービスを受けることができる動画像編集システムを提供することである。
本発明の第４の目的は、操作途中に通信が途絶えた場合でもそれまでの処理結果を失わずに編集を継続することができる動画像編集システムを提供することである。
【０００７】
【課題を解決するための手段】
請求項１記載の発明では、ネットワークを介して接続されているファクシミリ装置と通信が可能であり、当該ファクシミリ装置からの遠隔操作に応じて動画像の編集を行う動画像編集システムにおいて、前記ファクシミリ装置の利用者、又は、動画像の編集におけるセッションのうち、少なくともいずれか１つを特定する識別情報を有する紙媒体による動画像の編集指示を、前記ファクシミリ装置から受信する指示受信手段と、前記編集の対象となる動画像を取得し、格納しておく動画像格納手段と、前記指示受信手段によって受信された編集指示に基づいて、前記動画像格納手段に格納されている動画像に編集を施す編集手段と、前記編集手段によって編集が施された動画像を前記ファクシミリ装置に送信する送信手段と、を備え、前記紙媒体は、編集対象となる動画像の一定時間ごとの静止画と、前記一定時間ごとの静止画各々に対応し、前記動画像の編集における使用開始を特定するための第１チェック欄と、前記一定時間ごとの静止画各々に対応し、前記動画像の編集における使用終了を特定するための第２チェック欄と、前記一定時間ごとの静止画に対応する音であるトラックの音量をグラフ化した音量情報と、前記一定時間ごとの静止画または前記音のうち少なくともいずれか１方の各々に対応し、前記動画像の編集において所定の１又は複数のフィルタを適用する前記静止画または前記音を特定するための第３チェック欄と、を有し、前記編集手段は、前記識別情報、前記第１チェック欄、前記第２チェック欄、および前記第３チェック欄に基づいて、前記動画像格納手段に格納されている動画像に編集を施すことにより、前記第１および前記第２の目的を達成する。
【０００８】
請求項２記載の発明では、請求項１記載の発明において、前記紙媒体はファクシミリ用紙であることにより、前記第１および前記第２の目的を達成する。
【００１２】
請求項３記載の発明では、請求項１又は請求項２に記載の発明において、前記指示受信手段によって動画像の編集指示を受信した際、前記ファクシミリ装置が接続されているネットワークの帯域幅および安定性を判定する判定手段と、前記判定手段による判定結果に基づいて、前記編集手段によって編集された動画像の映像品質とバッファ量を変更する変更手段と、をさらに備え、前記送信手段は、前記変更手段によって変更された動画像を前記ファクシミリ装置に送信することにより、前記第１、前記第２および前記第３の目的を達成する。
【００１３】
請求項４記載の発明では、請求項１又は請求項２に記載の発明において、所定時間を計測する計測手段と、前記計測手段が所定時間を計測した際、前記ファクシミリ装置との通信が行われているか否かを確認する確認手段と、をさらに備え、前記確認手段によって通信が行われていないと確認された場合、前記動画像格納手段は、前記計測時間経過時点での編集途中の動画像を一旦格納し、前記指示受信手段によって再度指示が受信されたとき、前記編集手段は、前記動画像格納手段に一旦格納されている前記編集途中の動画像を取得し、当該動画像の編集を再開することにより、前記第１、前記第２および前記第４の目的を達成する。
【００１４】
【発明の実施の形態】
以下、本発明の好適な実施の形態について図１ないし図５を参照して詳細に説明する。
図１は、本実施の形態に係る動画像編集システムの概略を示した図である。
本実施の形態に係る動画像編集システムは、サーバ９に対して各指示を送信する各端末装置である携帯電話１、ＰＨＳ（Ｐｅｒｓｏｎａｌ  Ｈａｎｄｙｐｈｏｎｅ  Ｓｙｓｔｅｍ）２、電話３、ＰＣ端末４、５、ファクシミリ装置６、ＰＢＸ／Ｎｅｔｗｏｒｋ（構内交換機／ネットワーク）８およびサーバ９から構成されている。
ＰＢＸ／Ｎｅｔｗｏｒｋ８と接続されているサーバ９は、バス１６を介して各々接続されているコントロール部１０、クライアント処理部１１、編集処理部１２、編集処理終了通知部１３、再生部１４、および個別ユーザ記憶領域１５を備えている。
各端末装置である携帯電話１、ＰＨＳ２、電話３、ＰＣ端末４、５、ファクシミリ装置６は、各ユーザによってサーバ９とのデータの送受信や命令の送受信などのやり取りを行うために使用され、これらの各端末装置とサーバ９との通信はＰＢＸ／Ｎｅｔｗｏｒｋ８を介して行われる。なお、ユーザは、ＰＣ端末４ではＷｅｂブラウザを介して、ＰＣ端末５では遠隔編集ソフトを使用してサーバ９にアクセスするようになっている。
【００１５】
以下、本実施の形態におけるサーバ９に記録されている動画像データ７は、サーバ９の運営者が予め用意したものであってもよいし、入力手段は特に限定しないが、各ユーザが独自に作成して多くの公知の方法によってサーバ９に入力し、記録したものであってもよいとする。種々の方法で入力された動画像データ７は、個別ユーザ記憶領域１５に記録されるようになっている。
なお、サーバ９は規模を問わず、ＰＣ装置、携帯電話、ファクシミリ装置などの他の端末装置に対して各種のサービスを提供することができるものであればよく、編集をする個人が設置するものであってもよいし、多数のユーザが使用するものであってもよいとする。
【００１６】
また、ＰＢＸ／Ｎｅｔｗｏｒｋ８によってサーバ９と携帯電話１、ＰＨＳ２、電話３、ＰＣ端末４、５、ファクシミリ装置６などの各端末装置とが接続されているものとして説明するが、これに限られるものではなく、サーバ１０と各端末装置とが、有線、無線および両方のいずれにより接続されるネットワークでもよく、専用線を介した回線による通信ネットワーク、携帯端末による無線通信ネットワーク、通信衛星などを使った情報通信ネットワーク、インターネットまたは一部がインターネットを使用しているネットワークのいずれでもよいものとする。
また、動画像の伝送には、ＭＰＥＧ（Ｍｏｖｉｎｇ  Ｐｉｃｔｕｒｅ  Ｅｘｐｅｒｔｓ  Ｇｒｏｕｐ）１、ＭＰＥＧ２、ＭＰＥＧ４、Ｒｅａｌ  Ｍｅｄｉａなどの既知の方法を使用することができるものとする。
【００１７】
次に、サーバ９の各部の機能を参照しながら動画像編集システムの動作について説明する。
サーバ９のコントロール部１０は、サーバ９のシステムを統括制御し、各端末である携帯電話１、ＰＨＳ２、固定電話３、ＰＣ４、５、ファクシミリ６との通信を行い、各端末装置との通信に応じてバス１６を介してサーバ９内の各種機能、制御装置、記憶装置とのやり取りを行う。
クライアント処理部１１は、各端末である携帯電話１、ＰＨＳ２、固定電話３、ＰＣ４、５、ファクシミリ６の機能に応じて最適なインターフェースを各端末装置を使用するユーザに対して提供する。
【００１８】
ここで、ユーザがＰＣ端末５の遠隔編集ソフトを利用してサーバ９にアクセスする場合について説明する。
図２は、ＰＣ端末５の遠隔編集ソフトを使用した場合のインターフェースの一例を示した図である。
サーバ９と動画像データ７のやり取りのためにユーザによってＰＣ端末５の遠隔編集ソフトが使用された場合、クライアント処理部１１は、図２に示したようなノンリニア編集のソフトウエアによく見られるインターフェースをユーザに対して提供するようになっている。なお、図２でいうインターフェースとは、ユーザが使用しているＰＣ端末５のディスプレイなどの表示装置に表示されているような画面をいうものとする。
【００１９】
図２に一例として示したように、ユーザのＰＣ端末５の表示装置上には、プレビュースクリーン２２、ソース動画像２１、各種の機能ボタン２３〜２７、クロマキー、カラー調整などの各種の画像処理機能を表示しているエフェクト２８、シーケンサー２９などが表示される。ユーザは、この表示された画面上において、ソース動画像２１から編集希望の動画像を選択し、時間を軸としたシーケンサー２９上でエフェクト２８から選択した各機能によって自由に動画像の記録、編集、再生などを実行することができるようになっている。なお、遠隔編集ソフトによるサーバ９へのアクセスの場合には、独自プロトコルで通信を行うものとする。
【００２０】
また、遠隔編集ソフトに限らず、ユーザがＰＣ端末４においてＷｅｂブラウザを利用する場合には、プログラミング言語としてＨＴＭＬ、ＪａｖａＳｃｒｉｐｔ、Ｊａｖａ、ＡｃｔｉｖｅＸ、ＳＭＩＬを使用し、プロトコルとしてＨＴＴＰや独自のプロトコルの一方またはその両方を用いることで、サーバ９のクライアント処理部１１によって図２に近いインターフェースが提供できるようになっている。なお、独自のプロトコルとは、例えば、ユーザが使用するＰＣ端末４がサーバ９と電話回線を介して接続されている場合に使用されるプロトコル、ＰＣ端末４におけるアプリケーションに応じて、アプリケーション側で作成されるプロトコルなど、ユーザによって使用される各端末とサーバ９との接続状態に応じて使用されるプロトコルのことをいうものとする。
【００２１】
図３は、携帯電話１、ＰＨＳ２、電話３の場合のインターフェースの一例を示した図である。図３では一例として一般的に電話番号を入力するためのテンキーをもつ携帯電話１、ＰＨＳ２、電話３などの端末装置用のインターフェースを示しているものとする。
電話として利用する際の各数字１〜６のプッシュボタンには、映像の再生速度を制御するための機能である早巻き戻し機能（ＲＥＷ）５１、再生一時停止機能（ＰＬＡＹ／ＰＡＵＳＥ）５２、早巻き機能（ＦＦ）５３、再生速度増減機能（ＳＰＥＥＤ＋、ＳＰＥＥＤ−）５４、５６、停止機能（ＳＴＯＰ）５５などが割り当てられている。また、数字７〜９のプッシュボタンには、映像クリップの使用開始または終了部分をマークする機能（ＭＡＲＫ）５７が、マークした領域を新たなクリップとして登録するセグメント機能（ＳＥＧＭＥＮＴ）５８、このクリップ内の指定した時間にジャンプするＧＯ−ＴＯ機能（ＧＯ−ＴＯ）５９が割り当てられている。
「＊」のプッシュボタンには、他のテンキーと組み合わせてあらかじめ設定した処理を実行する機能（ＮＵＭ／ＦＵＮＣ）６０、数字「０」のプッシュボタンには複雑な処理のリストをアナウンスまたは表示するためのＭＥＮＵ機能（ＭＥＮＵ）６１、「♯」のプッシュボタンには、直前の操作または入力途中の操作を取り消すＥＳＣＡＰＥ機能（ＥＳＣ）６２が割り当てられている。
【００２２】
図１の携帯電話１、ＰＨＳ２などのグラフィックディスプレイを有する端末装置の場合、図２にあるインターフェースがグラフィックディスプレイ上に簡略化して表示されるようになっている。各ユーザは、このグラフィックディスプレイを参照しながら、図３に示したような携帯電話１、ＰＨＳ２などのインターフェースによって処理を命令を実行することができるようになっている。
なお、図１の電話３での編集の場合、携帯電話１やＰＨＳ２のようにグラフィックディスプレイを有していないので動画像を見ることはできないため、サウンドのみで編集することになる。この場合、複雑な処理についてはＣＴＯ（Ｃａｌｌ  Ｔｏ  Ｏｒｄｅｒ）システムなどで提供されている対話型の処理を行うものとする。
【００２３】
図４は、ファクシミリ装置６の場合のインターフェースの一例を示した図である。ファクシミリ装置６での編集の場合、電話３での編集のときに用いるような各機能入力を行うプッシュボタンによる方法に加えて、ファクシミリ装置６のファクシミリ用紙のやり取りによる編集を実行することができる。
例えば、図４にあるようなペーパーユーザインターフェースでは、選択した映像クリップの５秒毎の静止画（スナップショット）が静止画４１として印字され、各該当部分の音であるトラックの音量をグラフ化したものがオーディオ４２として印字されている。また、ペーパーユーザインターフェースであるファクシミリ用紙には、映像の使用開始マーク４３、映像の使用終了マーク４４、映像あるいは音に対するフィルタＡ〜Ｄを適用する場合の各命令４５〜４８をチェックするチェック項目欄（各マス目に相当する）が印字されている。なお、識別コード４９は、サーバ９側において編集を操作しているユーザ、セッションを特定することができるように付加されている識別番号である。
各ユーザは、このファクシミリ用紙上の該当機能、該当位置に対応する各チェック項目欄に印をつけてチェックを行い、当該ファクシミリ用紙をサーバ９に送り出すことで、該当動作の命令を実行することができる。
【００２４】
クライアント処理部１１は、図２、図３および図４に示したようなインターフェースを各端末装置である携帯電話１、ＰＨＳ２、ＰＣ端末４、５およびファクシミリ装置６などに提供する以外に、個別ユーザ記憶領域１５からユーザ毎の設定（プロファイル）を取り出して、この取り出したユーザ毎の設定を選択・変更することができる。ユーザ毎の設定とは、例えば、記憶領域の容量、記録画質、配信画質、配信方法（テキスト、オーディオ、ビデオ、静止画像）などがある。図５は、クライアント処理部１１が有するアクセス形態によるプロファイルの一例を示した図である。この図５に示したように、クライアント処理部１１は、遠隔操作のアクセス形態の各プロファイルを有し、遠隔操作のアクセス形態ごと、すなわちユーザがアクセスに使用した各端末装置に応じて最適な配信設定を選択するようになっている。ここでは、図５に示してあるような伝送帯域幅と伝送路の安定性に応じた映像のバッファ量を選択することができる。
【００２５】
また、クライアント処理部１１は、コントロール部１０からの通信があらかじめ設定された時間以上途絶したことが通知された場合、その時点での遠隔操作の状況を個別ユーザ記憶領域１５に保存する。そして、再び遠隔操作側である各端末装置のいずれかからサーバ９にアクセスがあった場合、クライアント処理部１１は、すでに個別ユーザ記憶領域１５に保存されている該当するユーザの遠隔操作の状況を復元して編集、配信を継続することができる。
なお、サーバ９と各端末との通信の途絶判断は、一例として、サーバ９側において所定時間が計測され、この所定時間経過ごとにサーバ９から各端末に接続を確認するコマンドが送信され、各端末側による送信されてきたコマンドに対する応答の有無によって判断するようにしてもよい。この場合、各端末からコマンドに対する応答がないという状態が所定回数以上である場合、通信が途絶していると判断されるようになっている。また、サーバ９からの接続確認のためのコマンドは、所定時間ごとに定期的に発行して各端末に送信するようにしてもよいし、所定時間経過後、一度だけ発行するようにしてもよく、適宜設定が可能であるとする。
【００２６】
サーバ９の編集処理部１２は、クライアント処理部１１からのリクエストおよびユーザ設定に基づき、編集処理を行い、この編集処理の結果を個別ユーザ記憶領域１５に記憶する。
編集処理終了通知部１３は、編集処理部１２からの終了通知およびクライアント処理部１１のユーザ設定に基づいて、例えば、電話への呼び出し、携帯電話への呼び出し、電子メールによる通知などの適切な通知方法でユーザに編集処理終了の通知を行うようになっている。
再生部１４は、コントロール部１０からの要求に応じて、個別ユーザ記憶領域１５からリクエストされた映像を読み込み、適切な端末装置に出力または配信する。ここでは、オフライン記録装置１７に出力するか、ＰＢＸ／Ｎｅｔｗｏｒｋ８を介して図１の各端末装置である携帯電話１、ＰＨＳ２、電話３、ＰＣ端末４、５、ファクシミリ装置６に配信するようになっている。配信の場合、クライアント処理部１１からの情報に基づき、再生される映像を伝送の帯域幅や安定性に応じて適切なものに変換して再生する。
【００２７】
以上のように本実施の形態の動画像編集処理システムでは、ユーザは携帯電話、ＰＨＳ、電話、ＰＣ端末、ファクシミリ装置などの各端末装置を用いてサーバにアクセスし、図２、図３および図４に示したようなインターフェースを用いて編集を実行することができる。
また、本実施の形態の動画像編集システムでは、ユーザが時間のかかる処理を実行する場合、処理開始後に一旦サーバとの接続を切り、編集処理終了通知部１３からの編集終了の通知を受けてから再び次の処理を再開するようにすることができ、また通知を受けた際に使用できる各端末装置から適当なものを選択してインターフェースとして用いることができる。
【００２８】
本実施の形態の動画像編集処理システムによると、サーバに個別ユーザの記憶領域を用意し、ユーザが公衆回線やネットワークを使用して端末装置から遠隔操作によるアクセスをすることにより、サーバへの動画像記録、記録された動画像を遠隔操作による編集を行うことができ、また、蓄積された動画像および編集された動画像の配信も実行することができる。
また、本実施の形態の動画像編集処理システムによると、携帯電話、ＰＨＳ、電話、ＰＣ端末、ファクシミリ装置などのような端末装置からの遠隔操作によるアクセスに応じて、可能な限り多様な遠隔操作方法を提供することができ、編集に必要なインタラクティビティを提供することでユーザが編集装置の前に拘束されることなく、必要に応じて、好きな場所どこからでも編集作業を実行することができる。
また、本実施の形態の動画像編集処理システムでは、終了通知機能によって編集終了通知などの各種通知を実行することができるので、処理待ち時間をユーザが有効活用することができ、また、結果として編集に費やす時間を減らすことができる。
【００２９】
【発明の効果】
請求項１記載の発明では、ファクシミリ装置から動画像の編集指示を受信する指示受信手段と、編集の対象となる動画像を取得し格納しておく動画像格納手段と、指示受信手段によって受信された編集指示に基づいて、動画像格納手段に格納されている動画像に編集を施す編集手段と、編集手段によって編集が施された動画像をファクシミリ装置に送信する送信手段と、を備え、紙媒体は、編集対象となる動画像の一定時間ごとの静止画と、一定時間ごとの静止画各々に対応し、動画像の編集における使用開始を特定するための第１チェック欄と、一定時間ごとの静止画各々に対応し、動画像の編集における使用終了を特定するための第２チェック欄と、一定時間ごとの静止画に対応する音であるトラックの音量をグラフ化した音量情報と、一定時間ごとの静止画または前記音のうち少なくともいずれか１方の各々に対応し、動画像の編集において所定の１又は複数のフィルタを適用する静止画または音を特定するための第３チェック欄と、を有し、編集手段は、識別情報、第１チェック欄、第２チェック欄、および第３チェック欄に基づいて、動画像格納手段に格納されている動画像に編集を施すので、ユーザは編集装置のある場所に拘束されることなく、紙媒体を用いてファクシミリ装置のある好きな場所で動画像の編集を行うことができる。
【００３０】
請求項２記載の発明では、紙媒体はファクシミリ用紙であるので、ユーザは編集装置のある場所に拘束されることなく、ファクシミリ装置のある好きな場所で、専用の用紙を用いて動画像の編集を行うことができる。
【００３２】
請求項３記載の発明では、指示受信手段によって動画像の編集指示を受信した際、ファクシミリ装置が接続されているネットワークの帯域幅および安定性を判定する判定手段と、判定手段による判定結果に基づいて、編集手段によって編集された動画像の映像品質とバッファ量を変更する変更手段と、をさらに備えたので、ユーザは使用するファクシミリ装置に応じた適切な品質のサービスを受けることができる。
【００３３】
請求項４記載の発明では、所定時間を計測する計測手段と、計測手段が所定時間を計測した際、ファクシミリ装置との通信が行われているか否かを確認する確認手段と、をさらに備え、確認手段によって通信が行われていないと確認された場合、動画像格納手段は、計測時間経過時点での編集途中の動画像を一旦格納し、指示受信手段によって再度指示が受信されたとき、編集手段は、動画像格納手段に一旦格納されている編集途中の動画像を取得し、当該動画像の編集を再開するので、ユーザは操作途中に通信が途絶した場合でも、通信可能になった時点においてそれまでの操作による処理結果を失うことなく、操作を再開し、編集を継続することができる。
【図面の簡単な説明】
【図１】本実施の形態に係る動画像編集システムの概略を示した図である。
【図２】ＰＣ端末の遠隔編集ソフトを使用した場合のインターフェースの一例を示した図である。
【図３】携帯電話、ＰＨＳ、電話の場合のインターフェースの一例を示した図である。
【図４】ファクシミリ装置の場合のインターフェースの一例を示した図である。
【図５】クライアント処理部が有するアクセス形態によるプロファイルの一例を示した図である。
【符号の説明】
１      携帯電話
２      ＰＨＳ
３      電話
４、５  ＰＣ端末
６      ファクシミリ装置
７      動画像データ
８      ＰＢＸ／Ｎｅｔｗｏｒｋ
９      サーバ
１０    コントロール部
１１    クライアント処理部
１２    編集処理部
１３    編集処理終了通知部
１４    再生部
１５    個別ユーザ記憶領域
１６    バス
１７    オフライン記憶装置
【図１】
0004468611.tif 000002
【図２】
0004468611.tif 000003
【図３】
0004468611.tif 000004
【図４】
0004468611.tif 000005
【図５】
0004468611.tif 000006